(57)【要約】【課題】従来、文献１は、防災瓦として機能する。また文献２は、調整瓦として機能する。従って、この文献１、２は、それぞれ防災瓦と、調整瓦とは、個別の構造である。しかし、市場より要望が強い、前記両機能が発揮できる高付加価値の瓦の提供に応ずることができない。【構成】本発明は、調整瓦表面に、尻側から差込み側に到る水返し突条を、また水返し突条の差込み側水返し突条部に併設する調整兼水返し用の少なくとも二条の突条を、水返し突条の尻側水返し突条部に併設した第２の水返し突条を介して設けた窪み部と、係止兼水返し用の表面側堰を、夫々形成し、また調整瓦の裏面に、棧側の端部に調整用の少なくとも二条の突条を、また頭側の端部に嵌合用の溝、及びこの溝の内方に併設して嵌合用の裏面側堰を、夫々形成した防災用の調整瓦であり、ズレ防止と、風雨の浸入防止、また地割調整ができる。【選択図】    図１
2004225258.tif 000002
【特許請求の範囲】
【請求項１】
尻棧隅に一条形態の切込みを、また頭差込み隅に一条形態の切込みを、それぞれ設けた調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成したことを特徴とする防災用の調整瓦。
【請求項２】
尻棧隅に一条形態の切込みを、また頭差込み隅に一条形態の切込みを、それぞれ設けた調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成し、さらに裏面側堰の内方に併設して嵌合用の裏面側窪み部を形成したことを特徴とする防災用の調整瓦。
【請求項３】
尻棧隅に一条形態の切込みを、また頭差込み隅に一条形態の切込みを、それぞれ設けた調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰と、この表面側堰の内方に併設して嵌合用の表面側窪み部を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成し、
この裏面側堰の内方に併設して嵌合用の裏面側窪み部を形成し、さらにこの溝の外方に併設して嵌合用の頭垂れを形成したことを特徴とする防災用の調整瓦。
【請求項４】
略方形状の調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰と、この表面側堰の内方に併設して嵌合用の表面側窪み部を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成し、さらにこの溝の外方に併設して嵌合用の頭垂れを形成したことを特徴とする防災用の調整瓦。
【請求項５】
略方形状の調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰と、この表面側堰の内方に併設して嵌合用の表面側窪み部を形成し、
また、調整瓦の裏面であって、棧側の端部に調整用の少なくとも二条の突条を形成し、また頭側の端部に嵌合用の溝、さらにこの溝の外方に併設して嵌合用の頭垂れを形成したことを特徴とする防災用の調整瓦。
【請求項６】
請求項１〜請求項５に記載の調整瓦の表面頭側に、傾斜状の面取り部を形成したことを特徴とする防災用の調整瓦。
【発明の詳細な説明】
【０００１】
【発明の属する技術分野】
この発明は、きき幅を調整できる防災用の調整瓦に関する。
【０００２】
【従来の技術】
従来、防災（耐震、耐風雨）用の瓦と、きき幅の調整ができる瓦は、個別に形成されている。従って、この二つの目標を達成できる瓦は、本発明者が知る範囲では、現実には存在しなかった。また先行文献を調査したが、これに該当する文献は見当たらなかった。
【０００３】
前記防災瓦としては、特開２００２−６１３３７の「桟瓦（棧瓦とする）」がある（文献１）。その内容は、棧瓦の頭差込み隅に設けた切込みの底部に突片を、また尻棧山隅に設けた凹部と押さえ片を、それぞれ設け、この突片を凹部に挿入するとともに、当該突片のやや内方頭差込み部を前記押さえ片で押圧する構成である。従って、例えば、斜め下側の棧瓦の突片が破損しても、押さえ片を利用して当該斜め下側の棧瓦の飛散防止、ズレ防止等が図れる特徴がある。
【０００４】
また調整瓦としては、本出願人が提案する特開２０００−２５７２１３の瓦がある（文献２）。その内容は、瓦本体表面の差込み側水返し突条を、瓦本体の差込み側やや内側に形成し、差込み側を斜め端部とした構成である。従って、瓦本体に、僅かに手を加えることで、当該瓦の葺合せ寸法の調整ができる。また本発明は、瓦本体間の面的な摺接と、係合用の切込み部等による係止を図る構成である。従って、雨仕舞い、耐震性、耐風性の向上が図れる実益がある。
【０００５】
【発明が解決しようとする課題】
前述の如く、文献１は防災瓦として機能する。また文献２は調整瓦として機能する。従って、この文献１、２は、それぞれ防災瓦と、調整瓦とは、個別の構造である。しかし、市場より要望が強い、前記両機能が発揮できる高付加価値の瓦の提供に応ずることができない課題が考えられる。
【０００６】
本発明は、前述の防災瓦として機能するとともに、調整瓦としても機能する高付加価値の瓦の提供する。
【０００７】
【課題を解決するための手段】
請求項１の発明は、防災瓦として機能するとともに、調整瓦としても機能する高付加価値の防災用の調整瓦とすること、また調整兼水返し用の少なくとも二条の突条と調整用の少なくとも二条の突条とを利用し、少なくとも三通りのきき幅（棟方向）調整が可能であり、しかもワンタッチで何人も所定の葺合せができる防災用の調整瓦とすること、等を意図する。そして、前記調整兼水返し用の少なくとも二条の突条と差込み側水返し突条部とで形成される隙間に、調整用の少なくとも二条の突条が嵌り込む構成であるので、きき幅の調整を図りつつ、きき幅方向のズレ防止（耐震、耐風雨効果）を図ること、等を意図する。またこのきき幅方向の防災機能と、前記水返し突条の尻側水返し突条部に併設した第２の水返し突条を介して設けた窪み部、及び係止兼水返し用の表面側堰と、頭側の端部の嵌合用の溝、及びこの溝の内方に併設した嵌合用の裏面側堰とによる嵌り込みを介して、きき脚方向（屋根の流れ方向）のズレ防止を図ることを意図する。
【０００８】
請求項１は、尻棧隅に一条形態の切込みを、また頭差込み隅に一条形態の切込みを、それぞれ設けた調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成したことを特徴とする防災用の調整瓦である。
【０００９】
請求項２の発明は、請求項１の目的を達成しつつ、またこのきき幅方向の防災機能と、前記水返し突条の尻側水返し突条部に併設した第２の水返し突条を介して設けた窪み部、係止兼水返し用の表面側堰、及び尻側水返し突条部と、頭側の端部の嵌合用の溝、及びこの溝の内方に併設した嵌合用の裏面側堰、この裏面側堰の内方に併設して設けた嵌合用の裏面側窪み部とによる嵌り込みを介して、きき脚方向のズレ防止を図ることを意図する。
【００１０】
請求項２は、尻棧隅に一条形態の切込みを、また頭差込み隅に一条形態の切込みを、それぞれ設けた調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成し、さらに裏面側堰の内方に併設して嵌合用の裏面側窪み部を形成したことを特徴とする防災用の調整瓦である。
【００１１】
請求項３の発明は、請求項１の目的を達成しつつ、またこのきき幅方向の防災機能と、前記水返し突条の尻側水返し突条部に併設した第２の水返し突条を介して設けた窪み部、係止兼水返し用の表面側堰、この表面側堰の内方に併設した嵌合用の表面側窪み部、及び尻側水返し突条部と、頭側の端部の嵌合用の溝、及びこの溝の内方に併設した嵌合用の裏面側堰、この裏面側堰の内方に併設して設けた嵌合用の裏面側窪み部、及び前記溝の外方に併設した嵌合用の頭垂れとによる嵌り込みを介して、きき脚方向のズレ防止を図ることを意図する。
【００１２】
請求項３は、尻棧隅に一条形態の切込みを、また頭差込み隅に一条形態の切込みを、それぞれ設けた調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰と、この表面側堰の内方に併設して嵌合用の表面側窪み部を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成し、この裏面側堰の内方に併設して嵌合用の裏面側窪み部を形成し、さらにこの溝の外方に併設して嵌合用の頭垂れを形成したことを特徴とする防災用の調整瓦である。
【００１３】
請求項４の発明は、請求項１の目的を達成しつつ、またこのきき幅方向の防災機能と、前記水返し突条の尻側水返し突条部に併設した第２の水返し突条を介して設けた窪み部、係止兼水返し用の表面側堰、この表面側堰の内方に併設した嵌合用の表面側窪み部、及び尻側水返し突条部と、頭側の端部の嵌合用の溝、及びこの溝の内方に併設した嵌合用の裏面側堰、及び前記溝の外方に併設した嵌合用の頭垂れとによる嵌り込みを介して、きき脚方向のズレ防止を図ることを意図する。
【００１４】
請求項４は、略方形状の調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰と、この表面側堰の内方に併設して嵌合用の表面側窪み部を形成し、
また、調整瓦の裏面であって、棧側の端部に調整用の少なくとも二条の突条を形成し、また頭側の端部に嵌合用の溝、及びこの溝の内方に併設して嵌合用の裏面側堰を形成し、さらにこの溝の外方に併設して嵌合用の頭垂れを形成したことを特徴とする防災用の調整瓦である。
【００１５】
請求項５の発明は、請求項１の目的を達成しつつ、またこのきき幅方向の防災機能と、前記水返し突条の尻側水返し突条部に併設した第２の水返し突条を介して設けた窪み部、係止兼水返し用の表面側堰、この表面側堰の内方に併設した嵌合用の表面側窪み部、及び尻側水返し突条部と、頭側の端部の嵌合用の溝、及びこの溝の内方に併設した嵌合用の裏面側堰、及び前記溝の外方に併設した嵌合用の頭垂れとによる嵌り込みを介して、きき脚方向のズレ防止を図ることを意図する。
【００１６】
請求項５は、略方形状の調整瓦であり、
この調整瓦の表面であって、尻側から差込み側に到る水返し突条を形成し、またこの水返し突条の差込み側水返し突条部に併設する調整兼水返し用の少なくとも二条の突条を形成し、前記水返し突条の尻側水返し突条部に併設した第２の水返し突条を介して設けた窪み部と、係止兼水返し用の表面側堰と、この表面側堰の内方に併設して嵌合用の表面側窪み部を形成し、
また、調整瓦の裏面であって、棧側の端部に調整用の少なくとも二条の突条を形成し、また頭側の端部に嵌合用の溝、さらにこの溝の外方に併設して嵌合用の頭垂れを形成したことを特徴とする防災用の調整瓦である。
【００１７】
請求項６の発明は、請求項１〜請求項５の目的を達成するに最適な調整瓦を提供することを意図する。
【００１８】
請求項６は、請求項１〜請求項５に記載の調整瓦の表面頭側に、傾斜状の面取り部を形成したことを特徴とする防災用の調整瓦である。
【００１９】
【発明の実施の形態】
図１〜図１０は請求項１に対応する実施例であり、（イ）きき幅調整（地割調整）を説明する。：中間寸法（中間）のきき幅は、調整瓦の表面に設けた調整兼水返し用の第１突条を挾むようにして隣接する調整瓦（隣接調整瓦）の調整用の第１突条と、調整用の第２突条が設けられる。この際に、隣接調整瓦の裏側棧山水返しは、調整瓦の差込側の内面に添接（当接）される。一方調整瓦の差込み側水返し突条は隣接調整瓦の裏面棧山に添接される。この挾み付け構成で、きき幅方向のズレ防止と、位置決め（きき幅）が決定される。また調整瓦の葺設の容易化が図れる。：最小寸法（最小）のきき幅は、調整兼水返し用の第２突条を挾むようにして隣接調整瓦の調整用の第１突条と、調整用の第２の突条が設けられる場合には、この最小のきき幅となる。：また最大寸法（最大）のきき幅は、調整兼水返し用の第１突条を挾むようにして隣接調整瓦の調整用の第２突条と、裏面棧山水返し突条部が設けられる場合には、最大のきき幅となる。以上の挾み付けを介して風雨の浸入防止が図れる。従って、この浸入防止は、最小のきき幅調整が、挾み付けが深く、かつ重ね葺きの寸法が大きいこと最も強固であり、順次中間のきき幅、最小のきき幅となる。（ロ）上下調整瓦のズレ防止を説明する。調整瓦の表面の窪み部に、上方の調整瓦（上方調整瓦）の裏面側堰が嵌り込み、また調整瓦の表面の表面側堰が、上方調整瓦の裏面側堰と頭垂れとの間に嵌り込みことで、ズレ防止が図れる。またこの嵌り込みを介して風雨の浸入防止が図れる。
【００２０】
図１１〜図２０は請求項２に対応する実施例であり、（イ）きき幅調整に関する構成は、前述の請求項１の実施例に準ずる。（ロ）上下調整瓦のズレ防止を説明する。調整瓦の表面の窪み部に、上方の調整瓦（上方調整瓦）の裏面側堰が嵌り込み、また調整瓦の表面の表面側堰が、上方調整瓦の裏面側堰と頭垂れとの間に嵌り込み、さらに尻側水返し突条部が上方調整瓦の裏面側窪み部に嵌り込むことにより、ズレ防止が図れる。またこの嵌り込みを介して風雨の浸入防止が図れる。この例では、３箇所の嵌り込みでなる構成であり、そのズレ防止等の効果は顕著である。
【００２１】
また図２１〜図３０は請求項３に対応する実施例であり、（イ）きき幅調整に関する構成は、前述の請求項１の実施例に準ずる。（ロ）上下調整瓦のズレ防止を説明する。調整瓦の表面の窪み部に、上方の調整瓦（上方調整瓦）の裏面側堰が嵌り込み、また調整瓦の表面の表面側堰が、上方調整瓦の裏面側堰と頭垂れとの間に嵌り込み、さらに尻側水返し突条部が上方調整瓦の裏面側窪み部に嵌り込み、また調整瓦の表面側窪み部に、上方調整瓦の頭垂れが嵌り込むことにより、ズレ防止が図れる。またこの嵌り込みを介して風雨の浸入防止が図れる。この例では、４箇所の嵌り込みでなる構成であり、そのズレ防止等の効果は、さらに顕著である。
【００２２】
尚、前記嵌り込みは、嵌合が理想である。しかし、僅かな余裕があることが、調整瓦の製造、歪・変形等の調整瓦の使用可（弊害解消）、施工の容易化、又は葺き替えの容易化、作業の簡略化等に有益である。
【００２３】
【実施例】
以下、本発明の一実施例を図面を参照して説明する。
【００２４】
図１〜図１０に示す請求項１では、１は頭側１−１、尻側１−２と差込み側１−３、及び棧側１−４で区画され、かつ尻棧隅に一条形態の切込み、また頭差込み隅に一条形態の切込みを備えた略方形状の調整瓦である。この調整瓦１には、図示しないが、切込みを有さない調整瓦、平板瓦等も含む。そして、この調整瓦１の表面１ａには、尻側１−２から差込み側１−３に沿うように水返し突条２が、また尻側１−２から頭側１−１に向って（調整瓦１の内方に向って）凹部３と、この凹部３から表面視して略角波型の傾斜面４を経由して形成された第２の水返し突条５と、この第２の水返し突条５から垂直断面６を経由して形成された傾斜状の窪み部７と、表面側堰８が構成されており、この第２の水返し突条５、窪み部７、表面側堰８は、上方の調整瓦１’の後述する溝、裏面側堰との間で、流れ方向（棟から軒方向）の強固な嵌め合せ関係及びズレ防止と、位置決めの容易化、きき脚寸法決定等に役立てる。
【００２５】
また調整瓦１の表面１ａには、前記水返し突条２の差込み側水返し突条部２−２に併設する調整兼水返し用の少なくとも二条の第１、第２突条９、１０（調整兼水返し用の突条）を形成する。この第１突条９は、頭側１−１より正面視した場合には、例えば、三角形状として、型抜きの容易化、裁量の節約、又は軽量化、風雨の浸入防止、水返し効果等に役立てる。またこの第２突条１０は、頭側１−１より正面視した場合には、例えば、方形形状として、差込み側水返し突条部２−２との相似性、強度の向上と、又は風雨の浸入防止、水返し効果等に役立てる。さらに差込み側水返し突条部２−２と同様に、調整瓦１の表面１ａへの接触を確保して、葺設の安定性、葺設の確実性、又は風雨の浸入防止、水返し効果等に役立てる。尚、この第１、第２突条９、１０と差込み側水返し突条部２−２との間には、隙間を形成して、軽量化、又は風雨の浸入防止、水返し効果等に役立てる。さらに差込み側水返し突条部２−２の頭差込み隅は、高さを低くして、葺合せの容易化を図り、また風雨の浸入防止、水返し効果等に役立てる。
【００２６】
図中１１は頭側１−１に設けた調整瓦１の表面１ａから略裏面１ｂに向って、略４５ー程度の角度で傾斜した面取り部であり、吹き上がる風雨の上方への誘導（Ｙで示す）と、その葺合せ部Ｘへの風雨の浸入防止が図れる。また上方への誘導は、調整瓦１’（調整瓦１、他の瓦を含む。以下、同じ）を押え込む作用と、この調整瓦１’の飛散防止とが図れる（浸入防止との相乗効果が期待できる）。また面取り部１１は、雨水、雪等の誘導と、暴風時にも前述の効果は期待できること、又は一層前記効果が期待できる。以上のような効果が期待できることは、例えば、屋根勾配の緩やかな葺設でも可能であり、しかも前述の効果と、略同じ効果が期待できる。即ち、屋根勾配の緩やかな葺設においても、防災瓦となり得る。またこの面取り部１１は、調整瓦１、１’等の厚みのカムフラージュに役立て得る。また図中Ｙ１は押え込む作用の一例を示す。
【００２７】
図中１２は裏面１ｂに貫通する釘孔を示す。尚、１”は隣接調整瓦を示す。図中２−１は尻側水返し突条を示す。
【００２８】
この調整瓦１の裏面１ｂには、棧側１−４の端部に調整用の少なくとも二条の第１、第２突条２０、２１（調整用の突条）を形成する。この例では、頭側１−１より正面視した場合には、例えば、三角形状として、型抜きの容易化、裁量の節約、又は軽量化、風雨の浸入防止、水返し効果等に役立てる。また頭側１−１と尻側１−２の如く、二分割形状として、製作の容易化、形状の安定性、破損の回避、調整瓦１の取扱いの容易化、等に役立てる。また棧側１−４には裏側棧山水返し突条部２２を形成する。また頭側１−１の端部に嵌合用の溝２３を形成し、またこの溝２３の内方に、垂直端面２４を介して棧側１−４より正面視した場合に、略三角形状の嵌合用の裏面側堰２５を形成する。尚、裏側棧山水返し突条部２２は、裏面１ｂの棧側１−４の全体に設ける。この裏側棧山水返し突条部２２は調整瓦１の差込み側１−３のやや内面に当接して、強度の向上と、葺設時の安定性、又は風雨の浸入防止、水返し効果等に役立てる。図中２６は引掛け、２７は安定駒を示す。図中２８は裏面１ｂの頭側１−１に設けた頭垂れを示す。
【００２９】
図１１〜図２０に示す請求項２の例では（以下、共通な部位の説明は省略する）、表面１ａの尻側１−２に設けた尻側水返し突条２’を請求項１の尻側水返し突条２より高く構成する。これに対応して、裏面１ｂの裏面側堰２５の内方に裏面側窪み部２９を形成する。従って、請求項１の嵌め込み関係に、１箇所を付加した３箇所の嵌り込みができる。
【００３０】
図２１〜図３０に示す請求項３の例では、表面１ａの尻側１−２に設けた表面側堰８の内方に表面側窪み部１３を形成する。これに対応して、裏面１ｂの頭側１−１には水返しとしても機能する頭垂れ２８’を形成する。従って、請求項２の嵌め込み関係に、１箇所を付加した４箇所の嵌り込みができる。図中１３０は表面側窪み部１３に形成した隙間で、当該表面側窪み部１３に浸入した雨水を頭側１−１に向かって流す役目をする。尚、この頭垂れ２８’は、請求項１、２の頭垂れ２８に対して裏面側堰２５の裏面より高く構成する。この例において、この頭垂れ２８’を、請求項１、２の頭垂れ２８と同じ高さとした場合には、別の実施例となる。
【００３１】
尚、請求項５、６の例は、調整瓦１等の瓦に、前述の各例の構成を組合せて採用した実施例であり、構成、効果等は前述の各例に準ずる。但し、この例では、さらに製造の容易性、葺合せの簡便性、又は搬送、取扱いの容易化等が期待できる。
【００３２】
尚、尻棧側隅部１−５に設けた略方形状の表側膨出部３０であり、この表側膨出部３０は、上下方の調整瓦１’、１等を葺き上げた際に、図示しない斜め上側の調整瓦（図示せず）の頭差込側の挿入用のスペースを構成する。従って、この部位で相互に関連する四枚の調整瓦１、１’等の整然とした葺き上げが確保されること、又は前述の耐震、耐風雨効果と、略屋根の全方向の瓦ズレ防止が期待できる。またこの関係は、調整瓦１等の葺き上げの容易化、簡略化が図れ、かつ葺き上げの正確性、葺き上げの美観確保等の効果が期待できる。
【００３３】
図３１、図３２に示す請求項１〜３の例では、尻棧側隅部１−５に表側膨出部３０を設けない一例であり、葺上げの変更、他の部材の活用等により使用できる特例を示す。他の構成等は、前述の各例に準ずる。
【００３４】
【発明の効果】
請求項１の発明は、尻棧隅に一条形態の切込みを、また頭差込み隅に一条形態の切込みを、それぞれ設けた調整瓦であり、調整瓦の表面であって、尻側から差込み側に到る水返し突条を形成し、また水返し突条の差込み側水返し突条部に併設する調整兼水返し用の少なくとも二条の突条を形成し、水返し突条の尻側水返し突条部に併設した第２の水返し突条を介して設けた窪み部と、係止兼水返し用の表面側堰を形成し、また、調整瓦の裏面であって、棧側の端部に調整用の少なくとも二条の突条を形成し、また頭側の端部の嵌合用の溝、及び溝の内方に併設した嵌合用の裏面側堰を形成した防災用の調整瓦である。
【００３５】
従って、防災瓦として機能するとともに、調整瓦としても機能する高付加価値の防災用の調整瓦を提供できること、また調整兼水返し用の少なくとも二条の突条と調整用の少なくとも二条の突条とを利用し、少なくとも三通りのきき幅（棟方向）調整が可能であり、しかもワンタッチで何人も所定の葺合せができる防災用の調整瓦となること、等の特徴がある。そして、調整兼水返し用の少なくとも二条の突条と差込み側水返し突条部とで形成される隙間に、調整用の少なくとも二条の突条が嵌り込む構成であるので、きき幅の調整が図れ、きき幅方向のズレ防止（耐震、耐風雨効果）が図れること、等の実益がある。またきき幅方向の防災機能と、水返し突条の尻側水返し突条部に併設した第２の水返し突条を介して設けた窪み部、及び係止兼水返し用の表面側堰と、頭側の端部に嵌合用の溝、及び溝の内方に併設して嵌合用の裏面側堰とによる嵌り込みを介して、きき脚方向（屋根の流れ方向）のズレ防止が図れる利点がある。
【００３６】
請求項２の発明は、尻棧隅に一条形態の切込みを、また頭差込み隅に一条形態の切込みを、それぞれ設けた調整瓦であり、調整瓦の表面であって、尻側から差込み側に到る水返し突条を形成し、また水返し突条の差込み側水返し突条部に併設する調整兼水返し用の少なくとも二条の突条を形成し、水返し突条の尻側水返し突条部に併設した第２の水返し突条を介して設けた窪み部と、係止兼水返し用の表面側堰を形成し、また、調整瓦の裏面であって、棧側の端部に調整用の少なくとも二条の突条を形成し、また頭側の端部に嵌合用の溝、及び溝の内方に併設して嵌合用の裏面側堰を形成し、裏面側堰の内方に併設して嵌合用の裏面側窪み部を形成し、さらに裏面側堰の内方に併設して嵌合用の裏面側窪み部を形成した防災用の調整瓦である。
【００３７】
従って、請求項１の目的を達成しつつ、またきき幅方向の防災機能と、水返し突条の尻側水返し突条部に併設した第２の水返し突条を介して設けた窪み部、係止兼水返し用の表面側堰、及び尻側水返し突条部と、頭側の端部の嵌合用の溝、及び溝の内方に併設した嵌合用の裏面側堰、当該裏面側堰の内方に併設して設けた嵌合用の裏面側窪み部とによる嵌り込みを介して、きき脚方向のズレ防止が図れる利点がある。
【００３８】
請求項３の発明は、尻棧隅に一条形態の切込みを、また頭差込み隅に一条形態の切込みを、それぞれ設けた調整瓦であり、調整瓦の表面であって、尻側から差込み側に到る水返し突条を形成し、また水返し突条の差込み側水返し突条部に併設する調整兼水返し用の少なくとも二条の突条を形成し、水返し突条の尻側水返し突条部に併設した第２の水返し突条を介して設けた窪み部と、係止兼水返し用の表面側堰と、表面側堰の内方に併設して嵌合用の表面側窪み部を形成し、また、調整瓦の裏面であって、棧側の端部に調整用の少なくとも二条の突条を形成し、また頭側の端部に嵌合用の溝、及び溝の内方に併設して嵌合用の裏面側堰を形成し、さらに溝の外方に併設して嵌合用の頭垂れを形成した防災用の調整瓦である。
【００３９】
従って、請求項１の目的を達成しつつ、またきき幅方向の防災機能と、水返し突条の尻側水返し突条部に併設した第２の水返し突条を介して設けた窪み部、係止兼水返し用の表面側堰、当該表面側堰の内方に併設した嵌合用の表面側窪み部、及び尻側水返し突条部と、頭側の端部の嵌合用の溝、及び溝の内方に併設した嵌合用の裏面側堰、当該裏面側堰の内方に併設して設けた嵌合用の裏面側窪み部、及び溝の外方に併設した嵌合用の頭垂れとによる嵌り込みを介して、きき脚方向のズレ防止が図れる利点がある。
【００４０】
請求項４の発明は、略方形状の調整瓦であり、調整瓦の表面であって、尻側から差込み側に到る水返し突条を形成し、またこの水返し突条の差込み側水返し突条部に併設する調整兼水返し用の少なくとも二条の突条を形成し、水返し突条の尻側水返し突条部に併設した第２の水返し突条を介して設けた窪み部と、係止兼水返し用の表面側堰と、表面側堰の内方に併設して嵌合用の表面側窪み部を形成し、また、調整瓦の裏面であって、棧側の端部に調整用の少なくとも二条の突条を形成し、また頭側の端部に嵌合用の溝、及びこの溝の内方に併設して嵌合用の裏面側堰を形成し、さらに溝の外方に併設して嵌合用の頭垂れを形成した防災用の調整瓦である。従って、請求項１の目的を達成しつつ、またきき幅方向の防災機能と、水返し突条の尻側水返し突条部に併設した第２の水返し突条を介して設けた窪み部、係止兼水返し用の表面側堰、当該表面側堰の内方に併設した嵌合用の表面側窪み部、及び尻側水返し突条部と、頭側の端部の嵌合用の溝、及び溝の内方に併設した嵌合用の裏面側堰、及び溝の外方に併設した嵌合用の頭垂れとによる嵌り込みを介して、きき脚方向のズレ防止が図れる利点がある。
【００４１】
請求項５の発明は、略方形状の調整瓦であり、調整瓦の表面であって、尻側から差込み側に到る水返し突条を形成し、また水返し突条の差込み側水返し突条部に併設する調整兼水返し用の少なくとも二条の突条を形成し、水返し突条の尻側水返し突条部に併設した第２の水返し突条を介して設けた窪み部と、係止兼水返し用の表面側堰と、この表面側堰の内方に併設して嵌合用の表面側窪み部を形成し、また、調整瓦の裏面であって、棧側の端部に調整用の少なくとも二条の突条を形成し、また頭側の端部に嵌合用の溝、さらに溝の外方に併設して嵌合用の頭垂れを形成した防災用の調整瓦である。従って、請求項１の目的を達成しつつ、またきき幅方向の防災機能と、水返し突条の尻側水返し突条部に併設した第２の水返し突条を介して設けた窪み部、係止兼水返し用の表面側堰、この表面側堰の内方に併設した嵌合用の表面側窪み部、及び尻側水返し突条部と、頭側の端部の嵌合用の溝、及び溝の外方に併設した嵌合用の頭垂れとによる嵌り込みを介して、きき脚方向のズレ防止が図れる特徴がある。
【００４２】
請求項６の発明は、請求項１〜請求項５に記載の調整瓦の表面頭側に、傾斜状の面取り部を形成した防災用の調整瓦である。従って、請求項１〜請求項５の目的を達成するに最適な調整瓦を提供できる特徴がある。
【図面の簡単な説明】
【図１】請求項１に対応した調整瓦の表面図
【図２】図１の棧側からの側面図
【図３】図１の頭側からの側面図
【図４】請求項１に対応した調整瓦の裏面図
【図５】図４の棧側からの側面図
【図６】図４の差込み側からの側面図
【図７】図４の頭側からの側面図
【図８】請求項１に対応した調整瓦の葺き合せ頭側からの側面図
【図９】図８の要部の拡大図
【図１０】請求項１に対応した調整瓦の葺き合せ頭側と尻側の嵌り込みを示した拡大断面図
【図１１】請求項２に対応した調整瓦の表面図
【図１２】図１１の棧側からの側面図
【図１３】図１１の頭側からの側面図
【図１４】請求項１に対応した調整瓦の裏面図
【図１５】図１４の棧側からの側面図
【図１６】図１４の差込み側からの側面図
【図１７】図１４の頭側からの側面図
【図１８】請求項２に対応した調整瓦の葺き合せ頭側からの側面図
【図１９】図１８の要部の拡大図
【図２０】請求項２に対応した調整瓦の葺き合せ頭側と尻側の嵌り込みを示した拡大断面図
【図２１】請求項３に対応した調整瓦の表面図
【図２２】図２１の棧側からの側面図
【図２３】図２１の頭側からの側面図
【図２４】請求項３に対応した調整瓦の裏面図
【図２５】図２４の棧側からの側面図
【図２６】図２４の差込み側からの側面図
【図２７】図２４の頭側からの側面図
【図２８】請求項３に対応した調整瓦の葺き合せ頭側からの側面図
【図２９】図２８の要部の拡大図
【図３０】請求項３に対応した調整瓦の葺き合せ頭側と尻側の嵌り込みを示した拡大断面図
【図３１】請求項１〜３に関する他の一例を示した調整瓦の表面図
【図３２】図３１の棧側からの側面図
【符号の説明】
１            調整瓦
１’            調整瓦
１”                    調整瓦
１−１          頭側
１−２          尻側
１−３          差込み側
１−４          棧側
１−５          尻棧側隅部
１ａ            表面
１ｂ            裏面
２                    水返し突条
２’                  水返し突条
２−１          尻側水返し突条部
２−２          差込み側水返し突条部
３              凹部
４                    傾斜面
５              第２の水返し突条
６                    端面
７              窪み部
８                    表面側堰
９              調整兼水返し用の第１突条
１０              調整兼水返し用の第２突条
１１            面取り部
１２            釘孔
１３            表面側窪み部
１３０          隙間
２０            調整用の第１突条
２１            調整用の第２突条
２２            裏側棧山水返し突条部
２３            溝
２４            端面
２５            裏面側堰
２６            引掛け
２７            安定駒
２８            頭垂れ
２８’              頭垂れ
２９            裏面側窪み部
３０            表側膨出部
Ｘ            葺合せ部
Ｙ              誘導
Ｙ１              押え込む作用
【図１】
2004225258.tif 000003
【図２】
2004225258.tif 000004
【図３】
2004225258.tif 000005
【図４】
2004225258.tif 000006
【図５】
2004225258.tif 000007
【図６】
2004225258.tif 000008
【図７】
2004225258.tif 000009
【図８】
2004225258.tif 000010
【図９】
2004225258.tif 000011
【図１０】
2004225258.tif 000012
【図１１】
2004225258.tif 000013
【図１２】
2004225258.tif 000014
【図１３】
2004225258.tif 000015
【図１４】
2004225258.tif 000016
【図１５】
2004225258.tif 000017
【図１６】
2004225258.tif 000018
【図１７】
2004225258.tif 000019
【図１８】
2004225258.tif 000020
【図１９】
2004225258.tif 000021
【図２０】
2004225258.tif 000022
【図２１】
2004225258.tif 000023
【図２２】
2004225258.tif 000024
【図２３】
2004225258.tif 000025
【図２４】
2004225258.tif 000026
【図２５】
2004225258.tif 000027
【図２６】
2004225258.tif 000028
【図２７】
2004225258.tif 000029
【図２８】
2004225258.tif 000030
【図２９】
2004225258.tif 000031
【図３０】
2004225258.tif 000032
【図３１】
2004225258.tif 000033
【図３２】
2004225258.tif 000034